【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】
イメージ捕捉用検出器と、オブジェクト平面からの光放射を前記イメージ捕捉用検出器上に結像させるための視界を有する対物レンズと、前記オブジェクト平面の照明を行うストロボフラッシュと、該照明が残像によってカメラのユーザに実質的に不変であるように見える程十分に速い速度で前記ストロボフラッシュにパルスを加える電子パルス回路と、前記イメージ捕捉用検出器による１つ又は２つ以上のイメージの捕捉と同期するシャッタ装置とを備えており、各イメージが、前記ストロボフラッシュからの少なくとも１つのパルスで捕捉される、カメラであって、前記シャッタ装置が、前記ストロボフラッシュにパルスが加えられる速度よりも実質的に低い速度でイメージを捕捉するよう構成されていることを特徴とする、カメラ。
【請求項２】
前記パルス回路が、前記イメージの捕捉前に前記定常照明の知覚される強度をランプアップさせ、及び／又は前記イメージの捕捉後に前記強度をランプダウンさせるよう構成されている、請求項１に記載のカメラ。
【請求項３】
前記定常照明の知覚される強度のランプアップ及び／又はランプダウンが少なくとも0.25秒にわたり行われる、請求項２に記載のカメラ。
【請求項４】
前記定常照明の知覚される強度のランプアップ及び／又はランプダウンが１秒未満にわたり行われる、請求項２に記載のカメラ。
【請求項５】
前記ストロボフラッシュにパルスが加えられる速度が少なくとも50Hzである、請求項１に記載のカメラ。
【請求項６】
前記ストロボフラッシュにパルスが加えられる速度が前記イメージの捕捉速度よりも少なくとも10倍高速である、請求項１に記載のカメラ。
【請求項７】
前記イメージ捕捉用検出器が、電子検出器アレイであり、前記シャッタ装置が、該検出器アレイによるイメージの捕捉を前記ストロボフラッシュに同期させる電子制御回路を備えている、請求項１に記載のカメラ。
【請求項８】
前記制御回路が異なる視界のイメージを捕捉する際に前記オブジェクト平面における前記対物レンズの前記視界を走査させるアクチュエータを備えている、請求項７に記載のカメラ。
【請求項９】
前記アクチュエータが、前記制御回路が異なる視界のイメージを捕捉する際に前記対物レンズの前記視界を連続的に走査させる、請求項８に記載のカメラ。
【請求項１０】
前記カメラが手持ち式カメラである、請求項１に記載のカメラ。
【請求項１１】
カメラを備えたドキュメント走査システムであって、該カメラが、イメージ捕捉用の電子検出器アレイと、オブジェクト平面からの光放射を前記電子検出器アレイ上に結像させるための視界を有する対物レンズと、前記オブジェクト平面の照明を行うストロボフラッシュと、該照明が残像によってカメラのユーザに実質的に不変であるように見える程十分に速い速度で前記ストロボフラッシュにパルスを加える電子パルス回路と、前記電子検出器アレイによるイメージの捕捉を前記ストロボフラッシュと同期させる電子制御回路を含むシャッタ装置とを備えており、各イメージが、前記ストロボフラッシュからの少なくとも１つのパルスで捕捉され、前記シャッタ装置が、前記ストロボフラッシュにパルスが加えられる速度よりも実質的に低い速度でイメージを捕捉するよう構成されており、前記カメラが更に、前記制御回路が異なる視界のイメージを捕捉する際に前記オブジェクト平面における前記対物レンズの前記視界を走査させるアクチュエータを備えており、該ドキュメント走査システムが更に、前記オブジェクト平面内のドキュメントの一部を前記電子検出器アレイ上に結像させるよう前記カメラを位置決めすることが可能なマウントを備えており、前記アクチュエータが、前記制御回路が前記ドキュメントの異なる部分のイメージを捕捉する際に前記対物レンズの前記視界を走査させるよう動作可能となっている、ドキュメント走査システム。
【請求項１２】
隣接し又はオーバラップする視界から捕捉されたイメージを結合して該隣接し又はオーバラップする視界の合成イメージを形成することができるスティッチングアルゴリズムを実行するよう構成されたプロセッサを備えている、請求項１１に記載のドキュメントイメージングシステム。
【請求項１３】
カメラを用いてドキュメントのイメージングを行う方法であって、該カメラが、イメージ捕捉用の電子検出器アレイと、オブジェクト平面からの光放射を前記電子検出器アレイ上に結像させるための視界を有する対物レンズと、前記オブジェクト平面の照明を行うストロボフラッシュと、該照明が残像によってカメラのユーザに実質的に不変であるように見える程十分に速い速度で前記ストロボフラッシュにパルスを加える電子パルス回路と、前記電子検出器アレイによるイメージの捕捉を前記ストロボフラッシュと同期させる電子制御回路を含むシャッタ装置とを備えており、各イメージが、前記ストロボフラッシュからの少なくとも１つのパルスで捕捉され、前記シャッタ装置が、前記ストロボフラッシュにパルスが加えられる速度よりも実質的に低い速度でイメージを捕捉するよう構成されており、前記カメラが更に、前記制御回路が異なる視界のイメージを捕捉する際に前記オブジェクト平面における前記対物レンズの前記視界を走査させるアクチュエータを備えており、該方法が更に、
a)前記ドキュメントの一部が前記視界内に入るように前記オブジェクト平面内のドキュメントに前記カメラの照準を合わせ、
b)前記制御回路が前記ドキュメントの異なる部分のイメージを捕捉する際に前記アクチュエータを使用して前記対物レンズの前記視界を走査させる、
という各ステップを含む、カメラを用いてドキュメントのイメージングを行う方法。
【請求項１４】
ドキュメント走査システムを用いてドキュメントを走査する方法であって、該ドキュメント走査システムが、カメラを備えており、該カメラが、イメージ捕捉用の電子検出器アレイと、オブジェクト平面からの光放射を前記電子検出器アレイ上に結像させるための視界を有する対物レンズと、前記オブジェクト平面の照明を行うストロボフラッシュと、該照明が残像によって前記カメラのユーザに実質的に不変であるように見える程十分に速い速度で前記ストロボフラッシュにパルスを加える電子パルス回路と、前記電子検出器アレイによるイメージの捕捉を前記ストロボフラッシュと同期させる電子制御回路を含むシャッタ装置とを備えており、各イメージが、前記ストロボフラッシュからの少なくとも１つのパルスで捕捉され、前記シャッタ装置が、前記ストロボフラッシュにパルスが加えられる速度よりも実質的に低い速度でイメージを捕捉するよう構成されており、前記カメラが更に、前記制御回路が異なる視界のイメージを捕捉する際に前記オブジェクト平面における前記対物レンズの前記視界を走査させるアクチュエータを備えており、該ドキュメント走査システムが更に、前記オブジェクト平面内のドキュメントの一部を前記電子検出器アレイ上に結像させるよう前記カメラを位置決めすることが可能なマウントを備えており、前記アクチュエータが、前記制御回路が前記ドキュメントの異なる部分のイメージを捕捉する際に前記対物レンズの前記視界を走査させるよう動作可能となっており、該方法が、
a)前記オブジェクト平面内のドキュメントの一部を前記検出器上に結像させるよう前記カメラを取り付け、
b)前記制御回路が前記ドキュメントの異なる部分のイメージを捕捉する際に前記アクチュエータを使用して前記対物レンズの前記視界を走査させる、
という各ステップを含む、ドキュメント走査システムを用いてドキュメントを走査する方法。
【請求項１５】
前記ドキュメント走査システムが更に、隣接し又はオーバラップする視界から捕捉されたイメージを結合して該隣接し又はオーバラップする視界の合成イメージを形成することができるスティッチングアルゴリズムを実行するよう構成されたプロセッサを備えており、前記ステップb)の後に、
c)隣接し又はオーバラップする視界から捕捉されたイメージを結合して前記ドキュメントの合成イメージを形成する、
というステップを含む、請求項１４に記載のドキュメント走査方法。
【請求項１６】
イメージ捕捉用検出器と、オブジェクト平面からの光放射を前記イメージ捕捉用検出器上に結像させるための視界を有する対物レンズと、前記オブジェクト平面の照明を行うストロボフラッシュと、少なくとも16回／秒の速度で前記ストロボフラッシュにパルスを加える電子パルス回路と、前記イメージ捕捉用検出器による１つ又は２つ以上のイメージの捕捉と同期するシャッタ装置とを備えており、各イメージが、前記ストロボフラッシュからの少なくとも１つのパルスで捕捉される、カメラであって、前記シャッタ装置が、前記ストロボフラッシュにパルスが加えられる速度よりも実質的に低い速度でイメージを捕捉するよう構成されていることを特徴とする、カメラ。
【請求項１７】
カメラを備えたドキュメント走査システムであって、該カメラが、イメージ捕捉用の電子検出器アレイと、オブジェクト平面からの光放射を前記電子検出器アレイ上に結像させるための視界を有する対物レンズと、前記オブジェクト平面の照明を行うストロボフラッシュと、少なくとも16回／秒の速度で前記ストロボフラッシュにパルスを加える電子パルス回路と、前記電子検出器アレイによるイメージの捕捉を前記ストロボフラッシュと同期させる電子制御回路を含むシャッタ装置とを備えており、各イメージが、前記ストロボフラッシュからの少なくとも１つのパルスで捕捉され、前記シャッタ装置が、前記ストロボフラッシュにパルスが加えられる速度よりも実質的に低い速度でイメージを捕捉するよう構成されており、前記カメラが更に、前記制御回路が異なる視界のイメージを捕捉する際に前記オブジェクト平面における前記対物レンズの前記視界を走査させるアクチュエータを備えており、該ドキュメント走査システムが更に、前記オブジェクト平面内のドキュメントの一部を前記電子検出器アレイ上に結像させるよう前記カメラを位置決めすることが可能なマウントを備えており、前記アクチュエータが、前記制御回路が前記ドキュメントの異なる部分のイメージを捕捉する際に前記対物レンズの前記視界を走査させるよう動作可能となっている、ドキュメント走査システム。
【請求項１８】
カメラを用いてドキュメントのイメージングを行う方法であって、該カメラが、イメージ捕捉用の電子検出器アレイと、オブジェクト平面からの光放射を前記電子検出器アレイ上に結像させるための視界を有する対物レンズと、前記オブジェクト平面の照明を行うストロボフラッシュと、少なくとも16回／秒の速度で前記ストロボフラッシュにパルスを加える電子パルス回路と、前記電子検出器アレイによるイメージの捕捉を前記ストロボフラッシュと同期させる電子制御回路を含むシャッタ装置とを備えており、各イメージが、前記ストロボフラッシュからの少なくとも１つのパルスで捕捉され、前記シャッタ装置が、前記ストロボフラッシュにパルスが加えられる速度よりも実質的に低い速度でイメージを捕捉するよう構成されており、前記カメラが更に、前記制御回路が異なる視界のイメージを捕捉する際に前記オブジェクト平面における前記対物レンズの前記視界を走査させるアクチュエータを備えており、該方法が、
a)前記ドキュメントの一部が前記視界内に入るように前記オブジェクト平面内のドキュメントに前記カメラの照準を合わせ、
b)前記制御回路が前記ドキュメントの異なる部分のイメージを捕捉する際に前記アクチュエータを使用して前記対物レンズの前記視界を走査させる、
という各ステップを含む、カメラを用いてドキュメントのイメージングを行う方法。